(57)【要約】【課題】  信頼性の高いレールブラケットを用いて固定されるガイドレールを備えるエレベーターを提供する。【解決手段】  エレベーターが、ガイドレールブラケットに固定されて、昇降路内に立設されるガイドレール１と、ガイドレール１に案内されて、昇降路内を昇降する昇降体と、を備え、ガイドレールブラケットは、ガイドレール１を押圧する一対のレールクリップ２と、横方向に伸びる長孔を含む二個の孔８を有するレール側固定ブラケット４と、建屋側に固定され、末広がり形に配置される二個の長孔１１を有する建屋側固定ブラケット５と、を備え、一対のレールクリップ２と、レール側固定ブラケット４とは、一対のレールクリップ２と、レール側固定ブラケット４の二個の孔８と、建屋側固定ブラケット５の二個の長孔１１を通る二個のねじ部品７によって、建屋側固定ブラケット５に固定される。【選択図】図３
2017137154.tif 000002
【特許請求の範囲】
【請求項１】
ガイドレールブラケットに固定されて、昇降路内に立設されるガイドレールと、
前記ガイドレールに案内されて、前記昇降路内を昇降する昇降体と、
を備えるエレベーターにおいて、
前記ガイドレールブラケットは、
前記ガイドレールを押圧する一対のレールクリップと、
横方向に伸びる長孔を含む二個の孔を有するレール側固定ブラケットと、
建屋側に固定され、末広がり形に配置される二個の長孔を有する建屋側固定ブラケットと、
を備え、
前記一対のレールクリップと、前記レール側固定ブラケットとは、前記一対のレールクリップと、前記レール側固定ブラケットの前記二個の孔と、前記建屋側固定ブラケットの前記二個の長孔とを通る二個のねじ部品によって、前記建屋側固定ブラケットに固定されることを特徴とするエレベーター。
【請求項２】
請求項１に記載のエレベーターにおいて、
前記二個のねじ部品の少なくとも一方のねじ部品の位置は、前記レール側固定ブラケットの前記長孔の長さの範囲内において、横方向に調整可能であることを特徴とするエレベーター。
【請求項３】
請求項１または請求項２に記載のエレベーターにおいて、
前記一方のねじ部品は、前記レール側固定ブラケットの前記長孔と前記建屋側固定ブラケットの前記二個の長孔の一方との交差部に位置することを特徴とするエレベーター。
【請求項４】
請求項１に記載のエレベーターにおいて、
前記レール側固定ブラケットは、前記レール側固定ブラケットの両端部および前記建屋側固定ブラケットの両端部を通る複数のねじ部品によって前記建屋側固定ブラケットに固定され、
前記複数のねじ部品は、前記レール側固定ブラケットの両端部および前記建屋側固定ブラケットの両端部の少なくとも一方に位置する複数の長孔を通ることを特徴とするエレベーター。
【請求項５】
請求項１に記載のエレベーターにおいて、
前記建屋側固定ブラケットの前記二個の長孔は、長さ方向において、直線状または曲線状である。
【発明の詳細な説明】
【技術分野】
【０００１】
本発明は、エレベーターに係り、特に、レールブラケットを用いて昇降路内に固定されるガイドレールを備えるエレベーターに関する。
【背景技術】
【０００２】
本技術分野に関する従来技術として、特許文献１に記載の技術においては、レールブラケットのレール側金具におけるレールクリップボルト用の孔を横長孔とする。これにより、同じレールブラケットを用いて、サイズが異なるガイドレールを昇降路内に固定することができる。
【先行技術文献】
【特許文献】
【０００３】
【特許文献１】特開平２−１８２７９号公報
【発明の概要】
【発明が解決しようとする課題】
【０００４】
上記従来技術においては、大きな地震荷重や建屋の経年変化（自重による高さ方向下方への建屋縮みなど）によりレールクリップの位置ずれが発生する怖れがあり、ガイドレール固定の信頼性が不十分であるという問題がある。
【０００５】
そこで、本発明は、信頼性の高いレールブラケットを用いて固定されるガイドレールを備えるエレベーターを提供する。
【課題を解決するための手段】
【０００６】
上記課題を解決するために、本発明によるエレベーターは、ガイドレールブラケットに固定されて、昇降路内に立設されるガイドレールと、ガイドレールに案内されて、昇降路内を昇降する昇降体と、を備えるものであって、ガイドレールブラケットは、ガイドレールを押圧する一対のレールクリップと、横方向に伸びる長孔を含む二個の孔を有するレール側固定ブラケットと、建屋側に固定され、末広がり形に配置される二個の長孔を有する建屋側固定ブラケットと、を備え、一対のレールクリップと、レール側固定ブラケットとは、一対のレールクリップと、レール側固定ブラケットの二個の孔と、建屋側固定ブラケットの二個の長孔を通る二個のねじ部品によって、建屋側固定ブラケットに固定される。
【発明の効果】
【０００７】
本発明によれば、末広がり形に配置される二個の長孔を有する建屋側固定ブラケットによってレールクリップの位置ずれが防止される。これにより、ガイドレールの固定に対するガイドレールブラケットの信頼性が向上する。
【０００８】
上記した以外の課題、構成および効果は、以下の実施形態の説明により明らかにされる。
【図面の簡単な説明】
【０００９】
【図１】一実施形態であるエレベーターの要部概略構成を示す縦方向断面図である。
【図２】ガイドレールが固定されているガイドレールブラケットを示す斜視図である。
【図３】ガイドレールブラケットの構成を示す分解図である。
【図４】変形例であるエレベーターのガイドレールブラケットの構成を示す斜視図である。
【図５】ガイドレールブラケットを建屋側に固定する具体的手段の一例を示す。
【図６】ガイドレールブラケットを建屋側に固定する具体的手段の他の例を示す。
【発明を実施するための形態】
【００１０】
以下、本発明の実施形態を、図面を用いて説明する。各図において、参照番号が同一のものは同一の構成要件あるいは類似の機能を備えた構成要件を示している。
【００１１】
図１は、本発明の一実施形態であるエレベーターの要部概略構成を示す縦方向断面図である。
【００１２】
乗りかご２０と釣合いおもり２１は、昇降路１００内において、主ロープ２２によって吊られる。主ロープ２は、巻上機２３のシーブおよび方向転換プーリに巻き掛けられ、巻上機２３によって駆動される。主ロープ２２が駆動されると、昇降体である乗りかご２０および釣合いおもり２１は、昇降路１００内において、互いに反対方向に昇降する。この時、乗りかご２０に設けられる図示されない案内装置、例えば、ガイドシューやガイドローラと、昇降路１００内に固定される、乗りかご用のガイドレール１とが接しながら乗りかご２０が移動することにより、乗りかご２０は、ガイドレール１に案内されて昇降する。また、図示されないが、釣合いおもり２１も、釣合いおもり用ガイドレールに案内されながら昇降路１００内を昇降する。
【００１３】
ガイドレール１は、昇降路１００内において、乗りかご２０の昇降方向に沿って複数設けられるガイドレールブラケットＡに固定される。これにより、ガイドレール１は、昇降路１００内において、ガイドレール１の長手方向が鉛直方向となるように立設される。
【００１４】
ガイドレールブラケットＡは、昇降路壁側４０すなわち建屋側に設けられる建屋固定部材６に固定される。ここで、ガイドレールブラケットＡを建屋側に固定する具体的手段について説明する。
【００１５】
図５は、ガイドレールブラケットＡを建屋側に固定する具体的手段の一例を示す。
【００１６】
図５に示す手段例において、昇降路壁側４０はコンクリート壁からなる。このコンクリート壁には、アンカーボルト１５が埋め込まれる。Ｌ形鋼材からなる建屋固定部材６は、アンカーボルト１５とこれに螺合するナット１６によって、コンクリート壁に固定される。鋼材からなるガイドレールブラケットＡは、昇降路１００内に突出する建屋固定部材６の水平面に、溶接によって固定される。
【００１７】
図６は、ガイドレールブラケットＡを建屋側に固定する具体的手段の他の例を示す。
【００１８】
図６に示す手段例において、鋼材からなり、建屋側において露出する梁３０に、平板状の鋼材からなる建屋固定部材６が、溶接によって固定される。さらに、鋼材からなるガイドレールブラケットＡは、昇降路１００内に突出する建屋固定部材６の水平面に、溶接によって固定される。
【００１９】
なお、図５および図６の手段例において、ガイドレールブラケットＡは、ボルト締結によって建屋固定部材６に固定されても良い。
【００２０】
次に、ガイドレールブラケットＡの構成について、図２および図３を用いて説明する。
【００２１】
図２は、ガイドレール１が固定されているガイドレールブラケットＡを示す斜視図である。
【００２２】
図２に示すように、ガイドレールブラケットＡは、平板状の鋼製部材であるレール側固定ブラケット４と、断面がＬ字状の鋼製部材である建屋側固定ブラケット５を有する。建屋側固定ブラケット５の水平底面が、建屋固定部材６の水平面に溶接によって接合される。また、乗りかご２０に対向する建屋側固定ブラケット５の垂直面に、平板状のレール側固定ブラケット４が、ねじ部品であるビス（あるいはボルト）３，７および図示されないナット（図３における符号１４参照）によって固定される。
【００２３】
レール側固定ブラケット４における乗りかご２０に対向する垂直面には、レールクリップ２が取り付けられる。レールクリップ２は、ビス（あるいはボルト）７を用いて、レール側固定ブラケット４と共に、建屋側固定ブラケット５の垂直面に固定される。断面略Ｔ字状のガイドレール１のＴ字の頭部が、レールクリップ２によって押圧されると共に、レールクリップ２とレール側固定ブラケット４によって挟圧されることにより、ガイドレール１は、ガイドレールブラケットＡに固定される。ここで、ビス（あるいはボルト）７は、レールクリップ２におけるビス（あるいはボルト）用の丸孔、レール側固定ブラケット４における長孔８および、本図２では図示されないが後述する建屋側固定ブラケット５の長孔（図３の符号１１を参照）を通る。長孔８の長手方向が横方向に伸びており、長孔８の長さの範囲でビス（あるいはボルト）７の固定位置、すなわちレールクリップ２の取付け位置を調整できる。このため、幅寸法が異なる複数種のガイドレールを固定することができる。従って、幅寸法が異なる複数種のガイドレールに対してガイドレールブラケットを共通化することができ、ガイドレールのサイズ毎にガイドレールブラケットを設計・製作することが不要となる。
【００２４】
レール側固定ブラケット４を建屋側固定ブラケット５に固定するために用いられるビス（あるいはボルト）３は、レール側固定ブラケット４における長孔９および、本図２では図示されないが後述する建屋側固定ブラケット５の長孔（図３の符号１２を参照）を通る。長孔９および建屋側固定ブラケット５の長孔１２（図３）の長手方向が縦方向に伸びており、建屋側固定ブラケット５におけるレールクリップ用の長孔１１（図３）と相俟って、長孔９および建屋側固定ブラケット５の長孔１１（図３）の長さの範囲でビス（あるいはボルト）３の固定位置を調整できる。ここで、ビス（あるいはボルト）３の固定位置は、後述するように、ガイドレール１の幅に応じて、建屋側固定ブラケット５に対するレール側固定ブラケット４の取付け位置が異なるため（縦方向にスライドするため）、適宜調整される。
【００２５】
なお、レールクリップ２におけるビス（あるいはボルト）用の丸孔の直径は、ビス（あるいはボルト）７の軸径と略同じであり、レールクリップ２の取付け位置の調整には実質寄与しない。また、本実施形態においては、図２に示すように、複数のガイドレール１がボルト３０によって接続される。図示されないが、ガイドレール１のつなぎ目において、互いに接続される二本のガイドレール１のＴ字の頭部には接続板が接触し、接続板と各ガイドレール１がボルト３０によって接続される。これにより、複数のガイドレール１が互いに接続される。ここで、レールクリップ２は、ガイドレール１のつなぎ目以外の箇所においてガイドレール１と接触する。
【００２６】
図３は、ガイドレールブラケットＡの構成を示す分解図である。
【００２７】
レール側固定ブラケット４の両端部のそれぞれにおいて、上述のような縦方向に伸びる長孔９が設けられる。さらに、レール側固定ブラケット４には、長孔９よりも横方向で中央寄りに上述のような横方向に伸びる長孔８が設けられる。なお、ガイドレール１は、ガイドレール１の左右に位置する一対のレールクリップによって固定されるので、長孔８は二個設けられる。
【００２８】
建屋側固定ブラケット５の両端部のそれぞれにおいて、レール側固定ブラケット４の長孔９に対向する位置に、縦方向に伸びる長孔１２が設けられる。さらに、建屋側固定ブラケット５には、長孔９よりも横方向で中央寄りに、かつレール側固定ブラケット４の二個の長孔８のそれぞれに対向する位置に、二個の長孔１１が設けられる。さらに、二個の長孔１１のそれぞれは、対向する長孔８と交差する。ここで、二個の長孔１１間の距離は、縦方向で、下方へ行くに従って、すなわち建屋側固定ブラケット５の水平部（建屋固定部材６との接合部）に近づくに従って、短くなる。いわば、二個の長孔１１は、末広がり形（略八の字状あるいは略ハの字状もしくは略逆Ｖ字状）に配置される。
【００２９】
ビス（あるいはボルト）７は、レールクリップ２の丸孔１０、レール側固定ブラケット４の長孔８および建屋側固定ブラケット５の長孔１１をこの順に通る。さらに、ビス（あるいはボルト）７は、ワッシャ（あるいはスプリングワッシャ）１３を通り、ナット１４と螺合する。これにより、レールクリップ２が、レール側固定ブラケット４と共に、建屋側固定ブラケット５に固定される。
【００３０】
ガイドレール１の幅寸法に応じて、長孔８におけるビス（あるいはボルト）７の位置を調整することにより、レールクリップ２の位置を変更することができる。この場合、ビス（あるいはボルト）７は、長孔１１における長孔８と交差する位置を通る。二個の長孔１１間の距離は縦方向で変化するため、レール側固定ブラケット４を縦方向にスライドさせれば、長孔８におけるビス（あるいはボルト）７の位置に応じて、長孔１１における長孔８と交差する位置を調整することができる。これにより、ガイドレール１の幅寸法に応じて、レールクリップ２を、レール側固定ブラケット４と共に、二個のビス（あるいはボルト）７および二個のナット１４によって、建屋側固定ブラケット５に確実に固定することができる。
【００３１】
ビス（あるいはボルト）７は、長孔８と長孔１１の交差部を通るので、レール側固定ブラケット４および建屋側固定ブラケット５によって、縦横方向の動きが阻止される。このため、ガイドレール１に地震荷重等の力が加わった場合に、レールクリップ２の位置ズレを防止することができる。さらに、建屋の経年変化による建屋縮みが発生して、建屋固定部材６が下方へ移動する場合、長孔８と長孔１１の交差部は、二個の長孔１１間の距離が狭くなる位置へ移動する。このため、レールクリップ２が、ガイドレール１の幅方向に沿ってガイドレール１に近づく方向、すなわちレールクリップ２がガイドレール１を押し付ける方向に移動する。これにより、建屋縮みが生じる場合に、レールクリップ２の緩みが防止できる。
【００３２】
ビス（あるいはボルト）３は長孔９および長孔１２を通るので、縦方向で、ビス（あるいはボルト）３の固定位置を調整できる。このため、ガイドレール１の幅寸法に応じて、建屋側固定ブラケット５に対するレール側固定ブラケット４の取付け位置が調整されても、ビス（あるいはボルト）３およびナット１４によってレール側固定ブラケット４を建屋側固定ブラケット５に確実に固定できる。
【００３３】
なお、ビス（あるいはボルト）３が通る長孔９および長孔１２の内、一方を丸孔に替えても良い。なお、本実施形態のように長孔９および長孔１２を用いることにより、ビス（あるいはボルト）３を取り付ける際の長孔９および長孔１２の位置合わせが容易になる。また、ビス（あるいはボルト）７によって、レール側固定ブラケット４が、レールクリップ２と共に建屋側固定ブラケット５に固定されるので、所望の強度によっては、ビス（あるいはボルト）３によるレール側固定ブラケット４の固定を省略しても良い。なお、本実施形態では、ビス（あるいはボルト）３および７によってレール側固定ブラケット４が建屋側固定ブラケット５に固定されるので、レール側固定ブラケット４の固定強度が向上する。
【００３４】
上述のように、本実施形態によれば、レールクリップ固定用のビス（あるいはボルト）７が、横方向に伸びる長孔８および末広がり形に配置される長孔１１を通るので、複数の幅寸法のガイドレールの固定を可能ならしめながらも、ガイドレール１の固定に対するガイドレールブラケットの信頼性が向上する。従って、地震荷重や建屋縮みに対するエレベーターの信頼性が向上する。
【００３５】
図４は、本実施形態の変形例であるエレベーターが備えるガイドレールブラケットの構成を示す斜視図である。本図４は、実施形態とは異なる部分、すなわち建屋側固定ブラケット５Ａ，５Ｂを示すと共に、比較のために実施形態におけるレール側固定ブラケット４および建屋側固定ブラケット５も示す。なお、変形例における建屋側固定ブラケット５Ａ，５Ｂに対して用いられるレール側固定ブラケットの構成は、いずれも実施形態におけるレール側固定ブラケット４と同様である。
【００３６】
上述の実施形態においては、建屋側固定ブラケット５に設けられる長孔１１が、長手方向すなわち長さ方向において直線状である。これに対し、図４に示すように、建屋側固定ブラケット５Ａ，５Ｂに設けられる長孔１１Ａ，１１Ｂは、長さ方向において、それぞれ、下に凸の曲線状および上に凸の曲線状である。
【００３７】
本変形例においても、レールクリップ固定用のビス（あるいはボルト）を通す二個の長孔間の距離は、縦方向で、下方へ行くに従って短くなる。すなわち、レールクリップ固定用のビス（あるいはボルト）を通す二個の長孔は、末広がり形に配置される。従って、本変形例によっても、複数の幅寸法のガイドレールの固定を可能ならしめながらも、ガイドレールの固定に対するガイドレールブラケットの信頼性が向上する。従って、地震荷重や建屋縮みに対するエレベーターの信頼性が向上する。
【００３８】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。また、実施形態の構成の一部について、他の構成の追加・削除・置き換えをすることが可能である。
【００３９】
例えば、上述の実施形態では、レール側固定ブラケット４および建屋側固定ブラケット５の両端部において二個のビス（またはボルト）７によって両固定ブラケットが締結されているが、これに限らず、所望の固定強度やガイドレールブラケットの大きさに応じて、任意の複数個のビス（またはボルト）７によって締結しても良い。この場合、長孔９，１２の個数をも適宜設定される。
【００４０】
また、レールクリップ２の位置を調整するための二個の長孔８の一方を丸孔に替えて、他方の長孔のみを用いてレールクリップ２の位置を調整しても良い。この場合、丸孔に対向する長孔１１は、長手方向が縦方向に伸びる直線状とすれば良い。
【符号の説明】
【００４１】
Ａ  ガイドレールブラケット
１  ガイドレール
２  レールクリップ
３  ビス（またはボルト）
４  レール側固定ブラケット
５，５Ａ，５Ｂ  建屋側固定ブラケット
６  建屋固定部材
８  長孔
９  長孔
１０  丸孔
１１，１１Ａ，１１Ｂ  長孔
１２，１２Ａ，１２Ｂ  長孔
１３  ワッシャ（またはスプリングワッシャ）
１４  ナット
２０  乗りかご
２１  釣合いおもり
２２  主ロープ
２３  巻上機
２４  方向転換プーリ
３０  ボルト
４０  昇降路壁側
１００  昇降路
【図１】
2017137154.tif 000003
【図２】
2017137154.tif 000004
【図３】
2017137154.tif 000005
【図４】
2017137154.tif 000006
【図５】
2017137154.tif 000007
【図６】
2017137154.tif 000008